(57)【要約】【課題】ベッド上において、患者などの位置が、前後方向に大きく異なっても、物品等の出し入れを何ら支障なく行いうるようにする。【解決手段】少なくとも前方から物品の出し入れを可能とした箱状筐体６を備える固定キャビネット１におけるベッドＢ側の側面に、ベッド側の側面が開口された収納箱１０を備える可動キャビネット２を、ガイド手段１３を介して、前方に移動可能に取付ける。【選択図】図２
2008113916.tif 000002
【特許請求の範囲】
【請求項１】
病院等のベッドにおける頭部側と隣接する側方に設置される床頭キャビネットであって、少なくとも前方から物品の出し入れを可能とした箱状筐体を備える固定キャビネットにおける前記ベッド側の側面に、ベッド側から使用可能な収納箱を備える可動キャビネットを、ガイド手段を介して、前方に移動可能に取付けたことを特徴とする床頭キャビネット。
【請求項２】
ガイド手段を、固定キャビネットと可動キャビネットとの対向面に設けた、前後方向を向く上下複数のサスペンションレールとしてなる請求項１記載の床頭キャビネット。
【請求項３】
可動キャビネットにおける収納箱に、支持手段を介して、テレビを取付けてなる請求項１または２記載の床頭キャビネット。
【請求項４】
可動キャビネットの下面に、キャスタを取付けてなる請求項１〜３のいずれかに記載の床頭キャビネット。
【請求項５】
収納箱におけるベッドと反対側の側面の上下方向の中間部に、水平をなす可動台を、固定キャビネットの筐体内に収容された位置から前方に移動しうるようにして設けてなる請求項１〜４のいずれかに記載の床頭キャビネット。
【請求項６】
可動台の側端面と筐体の内側面との対向面に、サスペンションレールを設けてなる請求項５記載の床頭キャビネット。
【請求項７】
収納箱におけるベッドと反対側の側面の上端に、可動天板を、固定キャビネットの筐体の上面と重合する位置から前方に移動しうるようにして設けてなる請求項１〜４のいずれかに記載の床頭キャビネット。
【請求項８】
固定キャビネットと可動キャビネットとの上下及び前後寸法を、互いにほぼ等しくしてなる請求項１〜７のいずれかに記載の床頭キャビネット。
【請求項９】
収納箱におけるベッド側の側面を開口し、その内部に物品収納部を設けてなる請求項１〜８のいずれかに記載の床頭キャビネット。
【発明の詳細な説明】
【技術分野】
【０００１】
本発明は、病院や介護施設等のベッドサイドに設置して、患者などが日常使う物品等を収納したり、テレビを載置したりするための床頭キャビネットに関する。
【背景技術】
【０００２】
この種の床頭キャビネットとしては、例えば特許文献１〜４に記載されているものがある。
【特許文献１】実開平３−８２０３６号公報
【特許文献２】特開平１１−１６９２３７号公報
【特許文献３】特開２００５−１９８９２３号公報
【特許文献４】特開２００６−２２７５１０号公報
【発明の開示】
【発明が解決しようとする課題】
【０００３】
病院等のベッドサイドに設置される床頭キャビネットは、患者などがベッドに寝ているときや、ベッドを起こしてそれに凭れかかっているときなど、患者の手の届く範囲が、前後方向（ベッドの長手方向）に異なっても、床頭キャビネットに収容してある物品の出し入れや、テレビの視聴に支障を来さないようにすることが望ましい。
【０００４】
しかし、上記特許文献１〜４に記載されている床頭キャビネットにおいては、いずれも、物品の収納部は、キャビネット本体に固定的に設けられているため、患者の手の届く範囲が前後方向に大きく異なった際に、物品等の出し入れに支障を来す恐れがある。
【０００５】
また、上記特許文献に記載の床頭キャビネットは、いずれも、テレビの視聴位置についての対策は講じられているが、単にキャビネット本体に設けた水平回動板や前後移動枠、又は支持アームに、薄型テレビを、その向きや前後左右位置を調整可能に取付けているのみであるため、テレビの位置を前後に大きく変えることはできず、患者の前後位置が大きく異なった際に、テレビの視聴位置を最適に調整することができないという問題がある。
【０００６】
この問題に対処するためには、前後移動枠や支持アームの移動ストロークを大とすることが考えられるが、このようにすると、前後移動枠や支持アームに大きな偏荷重が加わり、テレビを安定して支持するのが困難になるとともに、床頭キャビネット自体も不安定となる恐れがある。
【０００７】
本発明は、上記問題点に鑑みてなされたもので、ベッド上において、入院患者などの位置が、前後方向に大きく異なっても、物品等の出し入れを、何ら支障なく行いうるとともに、テレビ等の視聴位置を最適に調整しうるようにした床頭キャビネットを提供することを目的としている。
【課題を解決するための手段】
【０００８】
本発明によると、上記課題は、次のようにして解決される。
（１）病院等のベッドにおける頭部側と隣接する側方に設置される床頭キャビネットであって、少なくとも前方から物品の出し入れを可能とした箱状筐体を備える固定キャビネットにおける前記ベッド側の側面に、ベッド側から使用可能な収納箱を備える可動キャビネットを、ガイド手段を介して、前方に移動可能に取付ける。
【０００９】
（２）上記(１)項において、ガイド手段を、固定キャビネットと可動キャビネットとの対向面に設けた、前後方向を向く上下複数のサスペンションレールとする。
【００１０】
（３）上記(１)または(２)項において、可動キャビネットにおける収納箱に、支持手段を介して、テレビを取付ける。
【００１１】
（４）上記(１)〜(３)項のいずれかにおいて、可動キャビネットの下面に、キャスタを取付ける。
【００１２】
（５）上記(１)〜(４)項のいずれかにおいて、収納箱におけるベッドと反対側の側面の上下方向の中間部に、水平をなす可動台を、固定キャビネットの筐体内に収容された位置から前方に移動しうるようにして設ける。
【００１３】
（６）上記(５)項において、可動台の側端面と筐体の内側面との対向面に、サスペンションレールを設ける。
【００１４】
（７）上記(１)〜(４)項のいずれかにおいて、収納箱におけるベッドと反対側の側面の上端に、可動天板を、固定キャビネットの筐体の上面と重合する位置から前方に移動しうるようにして設ける。
【００１５】
（８）上記(１)〜(７)項のいずれかにおいて、固定キャビネットと可動キャビネットとの上下及び前後寸法を、互いにほぼ等しくする。
【００１６】
（９）上記(１)〜(８)項のいずれかにおいて、収納箱におけるベッド側の側面を開口し、その内部に物品収納部を設ける。
【発明の効果】
【００１７】
請求項１記載の発明によれば、患者などがベッドに寝ているときはもとより、その姿勢からベッドを起こしてそれに凭れかかったときなど、患者の前後位置が大きく異なった際でも、可動キャビネットを前方に移動させることにより、収納箱を、患者の手の届く範囲に位置させうるので、収納箱を、ベッド側から何ら支障なく使用することができる。
【００１８】
請求項２記載の発明によれば、可動キャビネットは、上下複数のサスペンションレールにより支持されながら、前後方向に円滑に移動することができる。
【００１９】
請求項３記載の発明によれば、テレビをも、可動キャビネットと共に前後方向に移動させうるため、患者などの前後位置が大きく異なっても、テレビの視聴位置を最適に調整することができる。
また、テレビの支持アーム等を前後方向に大きく伸長させて、テレビの前後位置を調節する必要がないので、重量のあるテレビであっても、これを安定よく支持しうるとともに、床頭キャビネット自体が不安定となることはない。
【００２０】
請求項４記載の発明によれば、収納箱やテレビの重量が大であっても、可動キャビネットは、床面上を安定よく前後方向に移動することができる。
また、ガイド手段に大きな荷重が作用しなくなるので、その寿命が延びる。
【００２１】
請求項５記載の発明によれば、可動キャビネットを前方に移動させると、可動台も前方に移動するので、その上面を、物品の載置台として使用することができる。
また、可動キャビネットを前方に移動させた際、可動台の下方に、患者などのための下肢空間が形成されるので、椅子を用いて、可動キャビネットを、机代わりとして使用することができる。
【００２２】
請求項６記載の発明によれば、可動台を設けても、可動キャビネットは、左右のサスペンションレールにより支持されているので、安定よく前後方向に移動させることができる。
また、テレビの重量や可動台に載せた物品の重量が大であっても、可動キャビネットを、固定キャビネットに安定よく支持することができる。
【００２３】
請求項７記載の発明によれば、可動キャビネットを前方に移動させると、可動天板も前方に移動するので、筐体の上面と可動天板とにより、前後方向に長い大きな物品の載置面積が確保される。
また、可動キャビネットを前方に移動させると、可動天板の下方に、患者などための大きな下肢空間が形成されるので、上記請求項５記載の発明の効果と同様、可動キャビネットを、机代わりに使用することができる。
【００２４】
請求項８記載の発明によれば、可動キャビネットを前方に移動させないときには、可動キャビネットと固定キャビネットとは一体感を呈し、違和感がなくなるので、床頭キャビネットとしての外観的体裁が向上する。
【００２５】
請求項９記載の発明によれば、収納箱のベッド側の側面を開口して、内部に物品収納部を設けたことにより、収納箱に種々の物品を収納することができるとともに、物品収納部への物品の出し入れを、ベッド側より容易に行うことができる。
【発明を実施するための最良の形態】
【００２６】
以下、本発明の実施形態を、図面に基づいて説明する。
図１は、本発明の床頭キャビネットの第１の実施形態を示す斜視図、図２は、同じく、一側部の可動キャビネットを前方に移動させたときの斜視図、図３は、同じく図２の状態を、左外側方より見た斜視図、図４〜図６は、それぞれ、同じく正面図と右側面図と平面図である。なお、以下の説明において、床頭キャビネットの前後方向は、図５の左方（図１の左前側方）、すなわちベッドの足元側を前方、ベッドの頭部側を後方とし、左右方向は、ベッドに関して言うものとする。
【００２７】
床頭キャビネットは、ベッドＢの頭部側の側方に隣接して設置されるもので、固定キャビネット１と、そのベッドＢ側の側面に取付けられた左右幅の小さな可動キャビネット２とからなり、固定キャビネット１の下面の四隅部には、ストッパ付きのキャスタ３が取付けられ、また、可動キャビネット２の下面のやや外側方寄りにも、前後１対のストッパ付きのキャスタ４、４が取付けられている。
【００２８】
固定キャビネット１は、前面が開口するとともに、上面に天板５が取付けられた箱状の筐体６を備え、筐体６内の中央部のやや上方寄りには、水平をなす仕切板７が取付けられている。筐体６内の上部には、前方に引き出し可能な引出し８が収容され、また、仕切板７の下方に形成された収納空間には、例えば小型の冷蔵庫９が収容されている。
【００２９】
可動キャビネット２は、上下と前後寸法が固定キャビネット１のそれとほぼ等しい、ベッドＢ側の側面（右側面）が開口された収納箱１０と、この収納箱１０の左側面の上部に取付けられた可動台１１とを備えている。可動台１１の前後寸法は、収納箱１０のそれよりも短寸とされ、前面が収納箱１０の前面と整合するようにして取付けられている。また、可動台１１の左右寸法は、固定キャビネット１における筐体６内に収容される大きさ、すなわち、仕切板７の左右寸法とほぼ等しくされている。
【００３０】
可動台１１は、固定キャビネット１における筐体６の右方の側板６aに形成された、前方に開口する前後方向を向く切欠き孔１２を通して、筐体６内に前後方向に移動可能に挿入されている。
【００３１】
図３及び図４に示すように、固定キャビネット１における筐体６の側板６aと、可動キャビネット２の収納箱１０の側板１０aとの対向面には、前後方向を向く上下１対の公知のサスペンションレール１３、１３が取付けられている。また、筐体６の左方の側板６bの内側面と、可動台１１の左側面との対向面にも、サスペンションレール１３が取付けられている。
【００３２】
これにより、可動キャビネット２は、実質的に両側端部がサスペンションレール１３により支持されることとなり、固定キャビネット１に対し、前後方向に円滑かつ安定よく移動させることができる。なお、可動キャビネット２の前方への最大移動量は、その後端が、固定キャビネット１の前端部付近まで移動する程度とし、その位置において、各サスペンションレール１３に設けたストッパ（図示略）により停止するようになっている。
【００３３】
可動キャビネット２における収納箱１０の上面板１０b の前端部には、支持ポール１４の下端部が着脱可能に取付けられ、この支持ポール１４には、伸縮可能で、かつ前後及び上下方向に首振り可能な支持アーム１５を介して、液晶等の薄型テレビ１６が取付けられている。
上面板１０bの適所には、テレビ１６の電源コード１８のための挿通孔１７が設けられている。
【００３４】
可動キャビネット２の収納箱１０におけるテレビ１６の下方には、患者Ｐがテレビ１６を一定時間視聴する際に使用するプリペイドカード等を挿入するための課金機１９が、その一部を可動台１１内に嵌合させて収容されている。また、課金機１９の下方には、上向きコ字状のタオル掛け２０と、雑誌等を立て掛けて保持する書架ワイヤ２１、２１が取付けられている。
【００３５】
さらに、収納箱１０内を左右に仕切る上下方向を向く仕切板２２を挟む右方の収納箱１０内の上部には、上下２段の物品載置棚２３、２３が、またその下方には、物品の滑落等を防止するワイヤストッパ２４が、それぞれ取付けられている。
上面板１０b の後端部には、缶やペットボトル入りの飲み物を挿入し、上部の物品載置棚２３の上面により支持可能な長方形の保持孔２５が形成されている。
【００３６】
以上説明したように、上記第１の実施形態の床頭キャビネットにおいては、固定キャビネット１の筐体６におけるベッドＢ側の側面に、ベッドＢ側の側面が開口された収納箱１０を有する可動キャビネット２を、前方に移動可能に取付けているため、図１及び図２に示すように、患者ＰがベッドＢに寝ている姿勢から、ベッドＢを起こしてそれに凭れかかった場合など、患者Ｐの前後位置が大きく異なった際でも、可動キャビネット２を前方に移動させることにより、収納箱１０に収納した書籍やタオルなどの物品や課金機１９等を、手の届く範囲に位置させることができ、使い勝手がよくなる。
【００３７】
また、テレビ１６も、可動キャビネット２に、支持ポール１４と支持アーム１５とからなる支持手段により支持され、可動キャビネット２と共に前後方向に移動させうるため、患者Ｐの前後位置が大きく異なっても、テレビ１６の視聴位置を最適に調整することができる。しかも、支持アーム１５を大きく伸長させて、テレビ１６の前後位置を調整する必要がないので、比較的重量のあるテレビ１６であっても、これを安定よく支持しうるとともに、床頭キャビネット自体が不安定となることはない。
【００３８】
可動キャビネット２における収納箱１０の左側面の上部には、これと共に前方に移動する可動台１１が取付けられているため、可動キャビネット２を前方に移動させると、可動台１１を、来訪者や看護師等が持参した物品の載置台として使用することができ、固定キャビネット１の天板５と合わせて、物品の載置面積を増大しうる。
また、可動キャビネット２を前方に移動させると、可動台１１の下方に、患者Ｐ等のための下肢空間が形成されるので、可動キャビネット２を、椅子等を用いて机代わりとして使用することもできる。
【００３９】
本発明は、上記実施形態に限定されるものではない。
上記実施形態では、可動キャビネット２を安定して前後方向に移動させるために、その下面に前後２個のキャスタ４を設けているが、例えばテレビ１６を取り付けないときや、収納物品が比較的軽量であるときには、キャスタ４を省略し、サスペンションレール１３のみで、可動キャビネット２を支持するようにしてもよい。
また、床頭キャビネットを病室内等の定位置に設置し、あまり移動する必要のないときには、固定キャビネット１に設けたキャスタ３を省略することもある。
【００４０】
さらに、図７に示す第２の実施形態の床頭キャビネットのように、可動台１１の代わりに、収納箱１０の左側面の上端に、固定キャビネット１の天板５とほぼ同じ大きさの可動天板２６を、天板５の直上を左右方向に移動しうるように取付けてもよい。このようにしても、可動キャビネット２を前方に移動させると、双方の天板５、２６により、前後方向に長い大きな物品の載置面積が確保されるとともに、上記と同様、可動キャビネット２を、机代わりとして使用することができる。
【図面の簡単な説明】
【００４１】
【図１】本発明の床頭キャビネットの第１の実施形態を示す斜視図である。
【図２】同じく、可動キャビネットを前方に移動させたときの斜視図である。
【図３】同じく、図２の状態を左前側方より見た斜視図である。
【図４】同じく、正面図である。
【図５】同じく、右側面図である。
【図６】同じく、平面図である。
【図７】同じく、第２の実施形態の床頭キャビネットにおいて、可動キャビネットを前方に移動させたときの斜視図である。
【符号の説明】
【００４２】
１  固定キャビネット
２  可動キャビネット
３、４ キャスタ
５  天板
６  筐体
６a、６b 側板
７  仕切板
８  引出し
９  冷蔵庫
１０ 収納箱
１０a 側板
１０b 上面板
１１  可動台
１２  切欠き孔
１３  サスペンションレール
１４  支持ポール（支持手段）
１５  支持アーム（支持手段）
１６  テレビ
１７  挿通孔
１８  電源コード
１９  課金機
２０  タオル掛け
２１  書架ワイヤ
２２  仕切板
２３  物品載置棚
２４  ワイヤストッパ
２５  保持孔
２６  可動天板
Ｂ  ベッド
Ｐ  患者
【図１】
2008113916.tif 000003
【図２】
2008113916.tif 000004
【図３】
2008113916.tif 000005
【図４】
2008113916.tif 000006
【図５】
2008113916.tif 000007
【図６】
2008113916.tif 000008
【図７】
2008113916.tif 000009